(57)【要約】      （修正有）【課題】極めて簡単かつ低コストにより太陽電池パネルを安定支持させることができる上に、多積雪地域でも太陽光を受光可能とし、さらに、工場での見込み生産が可能で大幅なコスト低減を可能とする太陽電池パネルの架台装置を提供する。【解決手段】太陽電池パネルの架台装置１は、両側部と底部を一体成形により連結して形成した立体Ｕ字形のコンクリート製下架台３と、両側部の天端を介して下架台の上に載置支持されるコンクリート製上架台４であり、立体Ｌ字形のコンクリート製上架台４と、高位受壁部の天端と、高位受壁部の基部と対向する辺となる上架台底部の端部と、に太陽電池パネル２を渡設して傾斜支持する傾斜支持部と、を含む。立体Ｕ字形のコンクリート製下架台３と、コンクリート製上架台４との組み立てで装置を構成する。【選択図】図１
0003178583.tif 000002
【実用新案登録請求の範囲】
【請求項１】
所要の地上高さにおいて所要の勾配で傾斜して支持される太陽電池パネルの架台装置であり、
両側部と底部を一体成形により連結して形成した立体Ｕ字形のコンクリート製下架台と、
両側部の天端を介して下架台の上に載置支持されるコンクリート製上架台であり、両側部の天端に接合連結され水平方向に広がる四角形状の上架台底部と、上架台底部の少なくとも一辺側から直角上方に伸びて上架台底部ととともに一体成形され太陽電池パネルの傾斜高位側を受ける高位受壁部と、を含む立体Ｌ字形のコンクリート製上架台と、
高位受壁部の天端と、高位受壁部の基部と対向する辺となる上架台底部の端部と、に太陽電池パネルを斜めに渡設して傾斜支持する傾斜支持部と、を含むことを特徴とする太陽電池パネルの架台装置。
【請求項２】
下架台は、両側部の上端を同じ高さとする正立体Ｕ字形状であることを特徴とする請求項１記載の太陽電池パネルの架台装置。
【請求項３】
上架台の高位受壁部の天端と上架台底部の端部とに渡設され太陽電池パネルを受ける傾斜天端を有する傾斜天端壁を形成するように立体Ｌ字形のコンクリート製上架台全体が一体成形され、傾斜天端の天端面全体で太陽電池パネルを受ける傾斜支持部を構成することを特徴とする請求項１又は２記載の太陽電池パネルの架台装置。
【請求項４】
下架台の両側部の下端側から外側横方向に下架台と一体で突設する突設台が連設されていることを特徴とする請求項１ないし３のいずれかに記載の太陽電池パネルの架台装置。
【請求項５】
上下架台の側部、底部並びに壁体は表裏面の貫通を遮断する遮断壁体か、又は１個又は複数の適宜形状の開口を設けた枠状壁体のいずれかであることを特徴とする請求項１ないし４のいずれかに記載の太陽電池パネルの架台装置。
【考案の詳細な説明】
【技術分野】
【０００１】
本考案は、太陽電池パネルの支持用の架台装置に係り、特に、メガワット級の太陽電池電力生成装置を多積雪地域、あるいは豪雪地帯等に設置する際の高位支持が必要な太陽電池パネルの架台装置に関する。
【背景技術】
【０００２】
排出物による環境汚染がなく、石油資源などの燃料消費がない、さらに、無尽蔵の太陽光を直接電気に変える太陽電池はエネルギー変換効率さえ向上させることができれば、理想的な電力源であり、エネルギー変換効率向上のための研究、開発が現に絶えることなくなされている現状では、魅力的な電力エネルギー生成源としての選択肢の一つである。特に、先の東北大地震に伴う原子力エネルギー依存への警鐘を鳴らす事故を生じるに至っては、太陽光発電に寄せる期待はますます高いものとなっている。
【０００３】
太陽光発電は、シリコンなどの半導体中に光が入射する際に光が半導体原子に衝突して生じる光量子効果などにより直接電気を発生させるものであり、半導体セルを集合させて太陽電池モジュールを構成し、複数の太陽電池モジュールを薄い平板状にパネル化した太陽電池パネルのパネル面を照射効率が良い傾斜角度に配置させて直接に太陽光を取り込むことで発電エネルギーを得るようにしたものである。太陽電池パネルは照射効率を考慮した所定の傾斜角度に安定して長期に保持することが必要であり、特に、風圧や地震等の地盤振動に対しても耐性を有する支持構造が求められる。さらに、太陽光による電力生成については、太陽電池受光面を大面積とした発電が必要であり、太陽電池パネルをアレー状に連設した状態で保持するという機能面から、大面積のパネル支持が可能な低コストの架台構造が求められる。一方、北陸、東北、北海道等の多積雪地域に例えばメガワット級の大規模太陽光発電装置を設置する場合、地上高で１．５メートル〜２メートル程度の高さで安定して太陽電池パネルを支持することができる架台装置が望まれる。したがって、多積雪地域向けでの太陽電池パネルの架台装置としては、低コストで高位支持が可能でしかもパネルの支持の安定性を有する装置であることが必要である。従来、太陽電池パネルの支持用架台として例えば特許文献１のものが提案されている。
【先行技術文献】
【特許文献】
【０００４】
【特許文献１】特開２００３−２２１９０６号公報
【考案の概要】
【考案が解決しようとする課題】
【０００５】
特許文献１の太陽電池パネル用の架台は、太陽電池パネル２（以下、この段落番号０００５において、特許文献１で使用された番号を付する。）を保持するホルダ部３３と、太陽電池パネル２の周縁部に接触して、太陽電池パネル２をホルダ部３３に固定する固定部材４と、パネル設置場所の上に載置され、自重又は自重と他部材との加算荷重により太陽電池パネルがパネル設置場所から動かないように安定させる基礎部である脚３７，３８とを具備する構成である。この特許文献１の架台では、矩形枠体からなるホルダ部３３の四隅下端に設けた４個の脚を地上側に接地して支持するものであり、したがって、低位側の安定性に劣り、特に大きな吹き上げ方向の風圧が太陽電池パネル２の下面側に加わった場合に支持部分もろとも引き抜かれるおそれがある。また、４点支持であるから、地上からの高さ調整が必要で施工精度が要求され、作業時間がかかり施工作業の進捗性に劣る欠点がある。さらに、ホルダ部３３をコンクリート製で構成しているが、矩形枠体の四隅位置から短い脚を立てた特殊な形状であるから、既成のコンクリート型枠を利用したコンクリート成形を行なうことができず、コスト低減を達成し得ない。さらに、この特許文献１の架台では、基礎や架台、太陽電池パネルの別体組付けによる施工時間の長期化、施工コスト高騰を防止するために、コンクリート成形体のホルダ部３３により低い姿勢で太陽電池パネルを支持させるようになっており、多積雪地域で採用することができないものであった。
【０００６】
本考案は上記従来の課題に鑑みてなされたものであり、その一つの目的は、極めて簡単な構成で低コストであり、施工作業も簡単で短時間に施工を行って、しかも太陽電池パネルを斜めに、高位置において安定支持させることができ、多積雪地域でも太陽光を受光可能であり、さらに、工場での見込み生産が可能で大幅なコスト低減を可能とすることができる太陽電池パネルの架台装置を提供することにある。
【課題を解決するための手段】
【０００７】
上記課題を解決するために本考案は、所要の地上高さにおいて所要の勾配で傾斜して支持される太陽電池パネルの架台装置１，１１，１３であり、両側部３Ａ、３Ｂと底部３Ｃを一体成形により連結して形成した立体Ｕ字形のコンクリート製下架台３と、両側部の天端３７を介して下架台３の上に載置支持されるコンクリート製上架台であり、両側部３Ａ、３Ｂの天端３７に接合連結される水平方向に広がる四角形状の上架台底部６と、上架台底部６の少なくとも一辺側から直角上方に伸びて上架台底部６ととともに一体成形され太陽電池パネルの傾斜高位側を受ける高位受壁部７と、を含む立体Ｌ字形のコンクリート製上架台４と、高位受壁部７の天端７１と、高位受壁部の基部７ａと対向する辺となる上架台底部６の端部７ｂと、に太陽電池パネル２を斜めに渡設して傾斜支持する傾斜支持部１７と、を含む太陽電池パネルの架台装置１から構成される。
【０００８】
その際、下架台３は、両側部３Ａ、３Ｂの上端を同じ高さとする正立体Ｕ字形状であるとよい。
【０００９】
また、上架台４の高位受壁部７の天端７１と上架台底部６の端部に渡設され太陽電池パネル２を受ける傾斜天端１５を有する傾斜天端壁１６を形成するように立体Ｌ字形のコンクリート製上架台４全体が一体成形され、傾斜天端１５の天端面全体で太陽電池パネル２を受ける傾斜支持部１７を構成するとよい。
【００１０】
また、下架台３の両側部３Ａ、３Ｂの下端側から外側横方向ｄ，ｄに下架台３と一体で突設する突設台８１が連設されているとよい。
【００１１】
さらに、上下架台３，４の側部３Ａ、３Ｂ、底部３Ｃ並びに壁体７は表裏面の貫通を遮断する遮断壁体か、又は１個又は複数の適宜形状の開口３５，３６，６３を設けた枠状壁体のいずれかであるようにしてもよい。
【考案の効果】
【００１２】
本考案の太陽電池パネルの架台装置によれば、所要の地上高さにおいて所要の勾配で傾斜して支持される太陽電池パネルの架台装置であり、両側部と底部を一体成形により連結して形成した立体Ｕ字形のコンクリート製下架台と、両側部の天端を介して下架台の上に載置支持されるコンクリート製上架台であり、両側部の天端に接合連結され水平方向に広がる四角形状の上架台底部と、上架台底部の少なくとも一辺側から直角上方に伸びて上架台底部ととともに一体成形され太陽電池パネルの傾斜高位側を受ける高位受壁部と、を含む立体Ｌ字形のコンクリート製上架台と、高位受壁部の天端と、高位受壁部の基部と対向する辺となる上架台底部の端部と、に太陽電池パネルを斜めに渡設して傾斜支持する傾斜支持部と、を含む構成であるから、既成の型枠に少しの加工を施した程度で上下架台を安価に製造することができる上に、太陽電池パネルを傾斜支持するための特殊な金物や、器具等を用いることがなくすべてコンクリート成形工程で製造できるから低廉な材料、製造コストで製造することができる。また、立体Ｕ字形コンクリート製架台と立体Ｌ字形コンクリート製架台を組み立てるだけで簡単に太陽電池パネルの架台装置を構成でき、施工が簡単で設置時間も短時間で完了させ得る。また、部品数が少なく、管理も簡単であって工場から施工現場への搬送も簡易に行える。さらに、下架台は両側部と底部を有する立体Ｕ字形状であるから、側部の天端高さを１．５メートル、２メートルあるいはそれ以上の積雪地域でも太陽光を受光可能な高位支持に応じたＵ字形下架台を低コストで製造しうる。また、高位斜設の太陽電池パネルの支持安定性に優れ、さらに地面側への基礎の設置も不要である。
【００１３】
また、下架台は、両側部の上端を同じ高さとする正立体Ｕ字形状とすることにより、前もって計画生産によりストックしておき、上架台は現場施工の際に適宜生産すれば量産コストによりさらにコスト低減を実現し得る。
【００１４】
また、上架台の高位受壁部の天端と上架台底部の端部とに渡設され太陽電池パネルを受ける傾斜天端を有する傾斜天端壁を形成するように立体Ｌ字形のコンクリート製上架台全体が一体成形され、傾斜天端の天端面全体で太陽電池パネルを受ける傾斜支持部を構成することにより、高位支持によっても太陽電池パネルを上架台に密接させて安定的に傾斜状態で支持させることができる。
【００１５】
また、下架台の両側部の下端側から外側横方向に下架台と一体で突設する突設台が連設された構成とすることにより、Ｕ字側壁の下端側がそれぞれ逆Ｔ字で形成されることとなり、それらを一体連結させるから各架台装置の地面設置側の安定性が向上するとともに、装置を密接して併設させる際にスペーサの機能を行って施工を簡単に行なうことができる。
【００１６】
また、上下架台の側部、底部並びに壁体は表裏面の貫通を遮断する遮断壁体か、又は１個又は複数の適宜形状の開口を設けた枠状壁体のいずれかであることにより、必ずしもコンクリートによる重量化が必須でない肉厚部分を材料節減するとともに、架台自体、あるいは架台間の通風を良好にして異常高温化での電力生成機能への悪影響を防止することができる。
【図面の簡単な説明】
【００１７】
【図１】太陽電池パネルを支持させた状態の本考案の第１実施形態に係る太陽電池パネルの架台装置の側面図である。
【図２】図１の装置の分解斜視説明図である。
【図３】図１の装置を複数併設して太陽電池パネルを密接支持させた使用状態斜視説明図である。
【図４】太陽電池パネルを支持させた状態の本考案の第２実施形態に係る太陽電池パネルの架台装置の側面図である。
【図５】図４の装置の分解斜視説明図である。
【図６】図４の装置を複数併設して太陽電池パネルを密接支持させた使用状態斜視説明図である。
【図７】太陽電池パネルを支持させた状態の本考案の第３実施形態に係る太陽電池パネルの架台装置の側面図である。
【図８】図７の装置の分解斜視説明図である。
【図９】図７の装置の分解斜視説明図である。
【考案を実施するための形態】
【００１８】
以下、添付図面を参照しつつ本考案の太陽電池パネルの架台装置の実施の形態について説明する。本実施形態の太陽電池パネルの架台装置は、上下の架台を組み立てて用いるものであり、特に、地上高１．５メートル以上程度の高さに太陽電池パネルの傾斜下端部分を位置させて太陽電池パネルを安定支持可能な高位支持形の太陽電池パネルの架台装置である。本装置は、メガソーラ発電用の大型の太陽電池パネル発電装置から工場、事務所、一般住居等での小規模ソーラ発電装置についても広く適用可能である。
【００１９】
図１ないし図３は、本考案の第１実施形態の太陽電池パネルの架台装置を示しており、図において、太陽電池パネルの架台装置１は、例えば１．５メートルあるいは２メートル程度の太陽電池パネル下端高さ位置で太陽電池パネル２を支持するものである。なお、この支持高さは、限定的なものではなく、１．５メートルよりも低位で支持する構成であってもよい。
【００２０】
本実施形態の太陽電池パネルの架台装置１は、コンクリート製下架台３と、コンクリート製上架台４と、傾斜支持部１７と、を含む。図２，３に示すように、コンクリート製下架台３は、鉄筋コンクリートにより一体成形された立体Ｕ字形の受台であり、該コンクリート製下架台３はＵ字形の両側部３Ａ，３Ｂを成す対向両側壁３１，３２と、底部３Ｃを成す底壁３３を有し、これらを一体成形により構成している。立体Ｕ字形とは、正面視が所要の肉厚のＵ字形でその形状が奥行き方向に連続したいわゆるＵ字溝形の成形体である。本実施形態において、図３，４に示すように、両側壁３１，３２には縦方向に平行に大きな打ち抜き孔３５，３６が設けられている。この打ち抜き孔３５，３６は、太陽電池パネルの下面側の熱気滞留を防止して通風を確保し発電効率に悪影響を与えないようにすると共に、機能上問題を生じない範囲においてコンクリート材料の節減を行うためであり、したがって、打ち抜き孔３５，３６のサイズ、数、形状等は任意に設定することができる。また、下架台３のＵ字底壁３３にも同様の打抜き孔を設けることができる。コンクリート成形体の立体Ｕ字形状のコンクリート型枠は、例えばＵ字溝に代表されるように多種類、多サイズの既成型枠があって、一般にはこれらはコンクリート成形工場などで保管されており、したがって、立体Ｕ字形のコンクリート製下架台３は、既成型枠についてわずかな加工を加えるだけで簡単に制作可能であり、したがって、低コスト製造が可能である。特に、本実施形態においては、この下架台３は、両側部３Ａ、３Ｂの上端を同じ高さとする正立体Ｕ字形状であるから、低コストで製造が容易であるだけでなく、Ｕ字側部の所要高さで具体的に複数個を作り置きしてストックし、上架台を載置させて組み立て、使用することができ、需要の変動に応じた納期確保、量産化による低コスト化に資する。コンクリート製下架台３の天端３７には図１に示すように上架台４の載置連結用のインサートナット３８が複数個所に埋め込まれた連結部５が設けられている。連結部５はインサート部材に限らず、凹凸嵌合構成などにより種々の公知の連結部構成とするとよい。
【００２１】
コンクリート製上架台４は、コンクリート製の下架台の上に載置連結されて太陽電池パネルを受ける部位を有する架台であり、特に、上架台の形状自体が傾斜した太陽電池パネルの高位と低位を支持するように成形されている。すなわち、コンクリート製上架台４は、上架台底部６と、一体成形により上架台底部６に直角状方に伸びて連結された高位受壁部７と、を含む。実施形態において、上架台底部６と高位受壁部７と、により、上架台４全体は側面視で立体Ｌ字形状で形成されている。
【００２２】
上架台底部６は、両側部３Ａ、３Ｂの天端３７に同時に接合連結され水平方向に広がる四角形状の底盤であり、上架台４の基台を構成する。具体的には、下架台３のＵ字側壁の両天端３７、３７に沿って載置される第１対向枠部６１と、架台３のＵ字側壁の両天端にまたがる方向であって第１対向枠部６１と直角方向に接合された第２対向枠部６２と、を有し、これら第１、第２対向枠部６１，６２は一体成形により上架台底部６を構成する。実施形態において、上架台底部６は、下架台と同様の目的の四角形中央部に打抜き孔６３を有しているが、打抜き孔６３を設けないようにしても良い。
【００２３】
高位受壁部７は、一体成形により上架台底部６の四角形一辺側から直角上方に伸びて傾斜配置される太陽電池パネルの高位側を受けて支持する壁体であり、実施形態において、Ｕ字側壁のいずれかの天端に沿う辺側から直角上方向に立設されている。上架台底部６と
高位受壁部７は鉄筋コンクリートの一体成形により上架台４全体が一体に構成されている。
コンクリート製上架台４全体は立体Ｌ字形の架台で構成されており、したがって、立体Ｕ字形の下架台３の上に立体Ｌ字形の上架台４が載置されるように組みつけられて連結部５において連結ボルトをインサートナットに螺着させることにより上下連結される。
【００２４】
実施形態において、高位受壁部７の天端７１は、図に示すように斜めに切り取られて傾斜面として斜設天端を形成している。この高位受壁部７の天端７１には太陽電池パネル２の取付部７３としてのインサートナットが２箇所に埋め込まれている。高位受壁部７の天端７１は太陽電池パネルを傾斜させた高位側を取り付ける高位取付部であり、天端７１の傾斜勾配に合わせて太陽電池パネル２を傾斜配置させ無理なく、確実に取り付け支持ができるようにしている。また、高位受壁部７の基部７ａと対向する辺となる上架台底部６の端部７ｂも高位受壁部７の天端７１と略同じ角度で同じ方向に斜めに切り取られて傾斜面７７として形成されている。さらに、この対向辺端部７ｂにも太陽電池パネル２の取付部７５としてのインサートナットが２箇所に埋め込まれている。これによって、太陽電池パネルの傾斜上位並びに下位をそれぞれ高位受壁部７の天端７１並びに、上架台底部６の対向辺端部７ｂに受けさせて連結固定させることにより、例えば斜め切り取り角度を高効率の太陽光照射角度に応じた角度に設定して、太陽電池パネルを傾斜支持させることができる。
【００２５】
ここで、本実施形態において、斜設天端として形成された高位受壁部７と、高位受壁部７の基部対向辺端部７ｂと、により、傾斜支持部１７が形成され、それぞれ太陽電池パネルを受けて固定部により固定連結させる。この実施形態では、図１，３に示すように高位受壁部７の天端７１と対向辺端部７ｂに渡して２個の平行な取付バー８を連結し、この取付バー８に対して複数の太陽電池パネル２を架設させている。そして、太陽電池パネルどうしは直並列接続して図示しない電力変換回路側に接続される。
【００２６】
このように、本実施形態の太陽電池パネルの架台装置１では、立体Ｕ字形と立体Ｌ字形コンクリート成形体の上下連結で組み立てられ、それぞれ既成の型枠に少しの加工を施した程度でこれらの上下架台を製造することができる上に、太陽電池パネルを傾斜支持するための特殊な金物や、器具等を用いることがなくすべてコンクリート成形工程で製造できるから低廉な材料、製造コストで製造することができる。また、下架台を正立体Ｕ字形状で構成することにより、前もって計画生産によりストックしておき、上架台は現場施工の際に適宜生産すれば量産コストによりさらにコスト低減を実現し得る。さらに、下架台は両側部と底部を有する立体Ｕ字形状であるから、側部の天端高さを１．５メートル、２メートルあるいはそれ以上にして容易に成形することができるとともに、安定性に優れ、さらに地面側への基礎の設置も不要で簡単な構造で堅牢かつ安定性に優れた架台装置を構成することができる。
【００２７】
なお、上記のように、上下架台３，４の側部３Ａ、３Ｂ、底部３Ｃ並びに壁体６，７は表裏面の貫通を遮断する遮断壁体か、又は１個又は複数の適宜形状の開口、すなわち打抜き孔３５，３６，６３を設けた枠状壁体のいずれとすることもできる。
【００２８】
次に、図４、図５により本考案の第２実施形態について説明するが、第１実施形態と同一部材には同一符号を付し、その詳細な説明は省略する。第２実施形態の太陽電池パネルの架台装置１１は、コンクリート製上架台４がコンクリート製下架台３に対して縦方向を軸として軸周りに９０度回転した位置で載置固定されている点が第１実施形態と異なる。すなわち、高位受壁部７の基部７ａと、これと対向する辺となる上架台底部６の端部７ｂとは、両Ｕ字側部の天端を渡す側の辺に設定されている。また、この対向辺となる上架台底部６の端部７ｂは端部から上方にわずかに立ち上がる起立壁に斜め切り落とし状の斜面が形成されているが、機能的には、この第２実施形態の太陽電池パネルの架台装置１１は第１実施形態と変わるところはなく、この第２実施形態のような上下架台の組み立て構成とすることもできる。
【００２９】
次に、図６により本考案の第３実施形態について説明するが、第１実施形態と同一部材には同一符号を付し、その詳細な説明は省略する。第３実施形態の太陽電池パネルの架台装置１２は、図４，５の第２実施形態の太陽電池パネルの架台装置のコンクリート製下架台３の構成が異なる点以外は、第２実施形態と同じである。第３実施形態の太陽電池パネルの架台装置１２においては、その下架台３の両側部３Ａ、３Ｂの下端側から矢視外側ｄ，ｄの横方向に下架台３と一体で突設する突設台８１が連設されている。突設台８１を一体に設けることにより、Ｕ字側壁の下端側がそれぞれ逆Ｔ字で形成されることとなり、それらを一体連結させるから各架台装置の地面設置側の安定性が向上するとともに、装置を密接して併設させる際にスペーサの機能を行って施工を簡単に行なうことができる。
【００３０】
次に、図７，８により、本考案の第４実施形態について説明するが、第１実施形態と同一部材には同一符号を付し、その詳細な説明は省略する。第４実施形態の太陽電池パネルの架台装置１３は、一体成形により上架台底部６と、高位受壁部７と、高位受壁部７の天端と上架台底部６の端部に渡設した傾斜天端壁１６と、を形成し全体として立体Ｌ字形のコンクリート製上架台４を形成している。傾斜天端壁１６は、その傾斜天端１５に沿って太陽電池パネル２を傾斜配置し、天端１５の傾斜方向長さ全体で太陽電池パネルを受ける。傾斜天端壁１６は、立体Ｌ字形のコンクリート製上架台４全体が一体成形され傾斜天端の天端面全体で太陽電池パネルを受ける傾斜支持部１７を構成する。この実施形態では高位受壁部７の天端から対向辺端部７ｂに渡る傾斜天端壁１６の天端長さは、さらに両端側に直線状に延長されてそれらの高位受壁部７の天端、対向辺端部７ｂからそれぞれ突設部１９を形成している。この第３実施形態の太陽電池パネルの架台装置１３では、上架台４と太陽電池パネル２との取付位置を数多く設けることができ、上架台４と太陽電池パネル２との連結強度を向上させることができると共に、そのぶん、縦横に密な配置で複数の太陽電池パネルを設置支持することができる。なお、この第４実施形態の太陽電池パネルの架台装置１３においても、その下架台３の両側部３Ａ、３Ｂの下端側から矢視外側ｄ，ｄの横方向に下架台３と一体で突設する突設台８３が連設されて各架台装置の地面設置側の安定性向上、スペーサ機能による施工の簡単さを得ることができる。
【００３１】
なお、図９は、図７，８の傾斜天端壁の傾斜天端１５への太陽電池パネルの取付状態を示しており、例えばコ字形チャンネル部材２０をパネル２と傾斜天端１５上面との間に配置し、傾斜天端壁１６側に締結ボルト等により連結固定するようになっている。架台と太陽電池パネルモジュール、あるいは架台に対する太陽電池パネルの具体的な固定構造は、何ら限定されるものではない。
【００３２】
以上説明した本考案の太陽電池パネルの架台装置は上記した実施の形態にのみ限定されるものではなく、本考案の本質を逸脱しない範囲の変更も本発明に含まれる。
【産業上の利用可能性】
【００３３】
本考案の太陽電池パネルの架台装置は、例えば豪雪地域等の太陽電池を高位で支持する必要があり、しかも、メガワット級の太陽電池電力生成装置用の太陽電池パネル支持に好適であるが、本装置はこれに限らず、通常の太陽電池パネルの支持装置としても適用可能である。
【符号の説明】
【００３４】
１,１１，１３  太陽電池パネルの架台装置
２  太陽電池パネル
３  コンクリート製下架台
３Ａ  Ｕ字側部
３Ｂ  Ｕ字側部
３Ｃ  底部
４  コンクリート製上架台
６  上課題底部
７  高位受壁部
７ａ  高位受壁部の基部
７ｂ  上架台底部の端部
１５  傾斜天端
１６  傾斜天端壁
６１  第１対向枠部
６２  第２対向枠部
【図１】
0003178583.tif 000003
【図２】
0003178583.tif 000004
【図３】
0003178583.tif 000005
【図４】
0003178583.tif 000006
【図５】
0003178583.tif 000007
【図６】
0003178583.tif 000008
【図７】
0003178583.tif 000009
【図８】
0003178583.tif 000010
【図９】
0003178583.tif 000011